(57)【要約】【課題】ユーザが保護フィルムの貼り付け作業を行う際に電子機器の外面におけるフィルム積層体の位置ずれを抑え、保護フィルムの貼り付け作業を容易化する。【解決手段】フィルム積層体１はベースフィルム１０と保護フィルム２とを有している。ベースフィルム１０には、電子機器９０の操作ボタン９１Ａ〜９１Ｃが嵌ることができ電子機器９０の前面におけるフィルム積層体１の位置を規定するための穴又は切り欠きである位置決め部１１ａ〜１１ｃが形成されている。また、ユーザが剥離フィルム３を保護フィルム２から剥がすときに摘むためのタブ３１は、表示エリアＡの中心に対して位置決め部１１ａ〜１１ｃ側に設けられている。【選択図】図２
2013056525.tif 000002
【特許請求の範囲】
【請求項１】
表示エリアが設けられた外面と当該外面から突出する凸部材とを有する電子機器の前記外面の保護に利用するためのフィルム積層体において、
一方の面が前記電子機器の前記表示エリアに貼り付けるための粘着面である保護フィルムと、
前記保護フィルムの前記一方の面に貼り付けられ、当該一方の面から剥離可能な剥離フィルムと、
前記保護フィルムの他方の面に貼り付けられ、当該他方の面から剥離可能なベースフィルムと、
前記ベースフィルムに形成され、前記電子機器の前記凸部材が嵌ることができ、前記電子機器の前記外面における前記フィルム積層体の位置を規定するための穴又は切り欠きである位置決め部と、
前記剥離フィルムに設けられ、前記剥離フィルムの中心に対して前記位置決め部側に位置し、前記剥離フィルムを前記保護フィルムから剥がすときにユーザが摘むためのタブと、
を有することを特徴とするフィルム積層体。
【請求項２】
請求項１に記載のフィルム積層体において、
前記位置決め部は前記保護フィルムと前記剥離フィルムとから離れた位置に形成されており、
前記タブは前記剥離フィルムの前記位置決め部側の端部に設けられている、
ことを特徴とするフィルム積層体。
【請求項３】
請求項１又は２に記載のフィルム積層体において、
前記ベースフィルムは前記タブより前記位置決め部に位置する屈曲線部を有し、
前記屈曲線部は当該屈曲線部で前記ベースフィルムが折れ曲がるように形成されている、
ことを特徴とするフィルム積層体。
【請求項４】
請求項３に記載のフィルム積層体において、
前記位置決め部は前記剥離フィルムに対して第１の方向に位置し、
前記屈曲線部は前記剥離フィルムの第１の方向の縁に沿って伸びている、
ことを特徴とするフィルム積層体。
【請求項５】
請求項１又は２に記載のフィルム積層体において、
前記保護フィルムと前記剥離フィルムと前記ベースフィルムは、前記電子機器の前記外面に対応したサイズを有し、
前記剥離フィルムと前記保護フィルムには、前記位置決め部の位置を避ける孔が形成されている、
ことを特徴とするフィルム積層体。
【請求項６】
請求項５に記載のフィルム積層体において、
前記剥離フィルムは前記位置決め部の位置を避ける前記孔が形成された第1の部分と、その他の部分である第２の部分とに分割されており、
前記タブは前記第２の部分に設けられている、
ことを特徴とするフィルム積層体。
【請求項７】
請求項６に記載のフィルム積層体において、
前記ベースフィルムは前記タブと前記位置決め部との間に屈曲線部を有し、
前記屈曲線部は当該屈曲線部で前記ベースフィルムが折れ曲がるように形成されている、
ことを特徴とするフィルム積層体。
【発明の詳細な説明】
【技術分野】
【０００１】
本発明は電子機器の外面を保護するための保護フィルムを含むフィルム積層体に関し、特に保護フィルムの貼り付け作業を容易化する技術に関する。
【背景技術】
【０００２】
ゲーム装置やデジタルカメラ、携帯端末などの電子機器では、表示エリアの周囲に、ボタンや操作スティックなどの操作部材が配置されている（例えば、下記特許文献１）。従来、表示エリアに汚れや傷が付くのを防ぐための保護フィルムが利用される場合がある。
【先行技術文献】
【特許文献】
【０００３】
【特許文献１】米国特許出願公開２００７／０２０２９５６号明細書
【発明の概要】
【発明が解決しようとする課題】
【０００４】
ユーザが保護フィルムの貼り付け作業を行う際、表示エリアから少しずれた位置に保護フィルムを貼り付けてしまう場合がある。特に、表示エリアとその周囲との間に段差がない電子機器に保護フィルムを貼り付ける際には、表示エリアに対する保護フィルムの位置が安定し難いので、そういった問題が生じ易い。
【０００５】
本発明の目的はユーザによる保護フィルムの貼り付け作業を容易化できるフィルム積層体を提供することにある。
【課題を解決するための手段】
【０００６】
本発明の一態様に係るフィルム積層体は、表示エリアが設けられた外面と当該外面から突出する凸部材とを有する電子機器の前記外面の保護に利用される。前記フィルム積層体は、一方の面が前記電子機器の前記表示エリアに貼り付けるための粘着面である保護フィルムと、前記保護フィルムの前記一方の面に貼り付けられ、当該一方の面から剥離可能な剥離フィルムと、前記保護フィルムの他方の面に貼り付けられ、当該他方の面から剥離可能なベースフィルムと、を含む。また、前記フィルム積層体は、前記ベースフィルムに形成され、前記電子機器の前記凸部材が嵌ることができ、前記電子機器の前記外面における前記フィルム積層体の位置を規定するための穴又は切り欠きである位置決め部を有する。さらに、前記フィルム積層体は、前記剥離フィルムに設けられ、前記剥離フィルムの中心に対して前記位置決め部側に位置し、前記剥離フィルムを前記保護フィルムから剥がすときにユーザが摘むためのタブを含む。
【０００７】
前記フィルム積層体によれば、ユーザが保護フィルムの貼り付け作業を行う際、電子機器の外面におけるフィルム積層体の位置ずれを抑えることができる。その結果、保護フィルムの貼り付け作業を容易化できる。また、タブは剥離フィルムの中心に対して位置決め部側に位置しているので、タブを摘んで剥離フィルムを保護フィルムから剥がす作業を容易化できる。
【図面の簡単な説明】
【０００８】
【図１】本発明の実施形態に係るフィルム積層体及び当該フィルム積層体が適用される電子機器の斜視図である。
【図２】上記フィルム積層体の平面図である。
【図３】図２に示すＩＩＩ−ＩＩＩ線での断面図である。
【図４】保護フィルムを貼り付ける方法を説明するための断面図であり、その切断面は図３と同様である。
【図５】フィルム積層体の他の例を示す平面図である。
【図６】フィルム積層体のさらに他の例を示す平面図である。
【図７】図６に示すＶＩＩ−ＶＩＩ線での断面図である。
【図８】図６及び図７に示す保護フィルムを貼り付ける方法を説明するための断面図である。
【図９】本発明の第２の実施形態に係るフィルム積層体の平面図である。
【図１０】本発明の第３の実施形態に係るフィルム積層体の平面図である。
【図１１】図１０に示すＸＩ−ＸＩ線での断面図である。
【発明を実施するための形態】
【０００９】
以下、本発明の一実施形態について図面を参照しながら説明する。図１は本発明の実施形態に係るフィルム積層体１及びフィルム積層体１が適用される電子機器９０の斜視図である。図２はフィルム積層体１の平面図である。図３は図２に示すＩＩＩ−ＩＩＩ線での断面図である。図４は後述する保護フィルム２を貼り付ける方法を説明するための断面図である。なお、以下の説明では、図１に示すＸ１，Ｘ２の示す方向をそれぞれ右方向，左方向とし、Ｚ１，Ｚ２の示す方向をそれぞれ上方，下方とする。
【００１０】
電子機器９０について説明する。この例の電子機器９０は、図１に示すように、その前面（請求項における外面）に表示エリアＡを有している。また、電子機器９０は前面から突出する複数の操作部材（請求項における凸部材）を有している。この例の電子機器９０は、表示エリアＡの左右方向における一方側（この例では右側）に、複数（この例では４つ）の操作ボタン９１Ａ，９１Ｂ，９１Ｃ，９１Ｄを含むボタン群９１を有している。４つの操作ボタン９１Ａ〜９１Ｄは十字の端部に位置し、互いに間隔を空けて配置されている。操作ボタン９１Ａ〜９１Ｄは同じ形状及び大きさを有している。この例では、操作ボタン９１Ａ〜９１Ｄは円柱状である。
【００１１】
また、電子機器９０は、表示エリアＡを挟んで４つの操作ボタン９１Ａ〜９１Ｄの反対側に、全体として十字形状を有する方向キー９２を有している。また、この例の電子機器９０は、４つの操作ボタン９１Ａ〜９１Ｄの下側に操作スティック９３Ｒを有し、方向キー９２の下側に操作スティック９３Ｌを有している。この例の電子機器９０はゲーム装置や、音楽再生装置、動画像再生装置として機能し得る携帯型電子機器である。ユーザは電子機器９０の右側部分と左側部分とを保持しながら、操作部材９１，９２，９３Ｒ，９３Ｌを操作できる。また、この例の電子機器９０は、その上面の最右部及び最左部に、上部ボタン９４Ｒ，９４Ｌをそれぞれ有している。
【００１２】
電子機器９０は、その前面を形成するフロントパネル９５を有している。フロントパネル９５の表面は、その全域において平らとなっている。電子機器９０はハウジング９６を有している。フロントパネル９５はハウジング９６の前面に貼り付けられている。
【００１３】
電子機器９０は液晶表示パネルや有機ＥＬ（ｅｌｅｃｔｒｏｌｕｍｉｎｅｓｃｅｎｃｅ）パネルなどの表示パネルによって構成される表示パネルユニットを内蔵している。表示パネルユニットはフロントパネル９５の裏面側に配置され、表示エリアＡを形成している。フロントパネル９５は光透過性を有するパネルであり、ユーザはフロントパネル９５を通して表示パネルの動画像を見ることができる。また、この例の表示パネルユニットはタッチパネルを含んでいる。タッチパネルは、フロントパネル９５上でのユーザの指の位置及び動きを検知する。なお、電子機器９０は必ずしもタッチパネルを備えていなくてもよい。
【００１４】
フィルム積層体１について説明する。図３に示すように、フィルム積層体１は、電子機器９０の前面、この例ではフロントパネル９５の表面を保護するための保護フィルム２を備えている。この例の保護フィルム２は表示エリアＡに対応した、より詳細には、表示エリアＡに相当したサイズを有している。保護フィルム２の一方の面には粘着剤が塗布されており、当該一方の面は電子機器９０の前面に貼り付けるための粘着面となっている。
【００１５】
図３に示すように、フィルム積層体１は保護フィルム２の粘着面に貼り付けられた剥離フィルム３を有している。剥離フィルム３は保護フィルム２の粘着面から剥離可能となっている（図４参照）。剥離フィルム３は、保護フィルム２の粘着面に塵が付着したり、粘着面が意図しないところに貼り付くことを防ぐ。剥離フィルム３は保護フィルム２に対応するサイズ、より具体的には保護フィルム２と同じサイズを有している。なお、剥離フィルム３は保護フィルム２よりも大きくてもよい。
【００１６】
図３に示すように、フィルム積層体１は保護フィルム２の粘着面とは反対側の面に貼り付けられたベースフィルム１０を含んでいる。ベースフィルム１０の保護フィルム２に対応する領域には、粘着剤が塗布されており、この粘着剤を通してベースフィルム１０と保護フィルム２とは互いに接着されている。ベースフィルム１０も保護フィルム２から剥離可能となっている。フィルム２，３，１０はプラスチック（例えばポリエチレンテレフタラートなど）で形成されている。この例では、保護フィルム２はベースフィルム１０よりも高い剛性を有し、ベースフィルム１０は剥離フィルム３よりも高い剛性を有している。これにより、ベースフィルム１０及び剥離フィルム３を保護フィルム２から剥がしやすくなる。例えば保護フィルム２はベースフィルム１０よりも大きな厚さを有し、ベースフィルム１０は剥離フィルム３よりも大きな厚さを有する。また、保護フィルム２はベースフィルム１０と同程度の厚さを有しながら、ベースフィルム１０よりも剛性の高い材料で形成されてもよい。また、ベースフィルム１０は剥離フィルム３よりも剛性の高い材料で形成されてもよい。なお、ベースフィルム１０は保護フィルム２よりも高い剛性を有してもよい。
【００１７】
図１及び図２に示すように、ベースフィルム１０には電子機器９０の前面におけるフィルム積層体１の位置を規定するための位置決め部１１ａ，１１ｂ，１１ｃが形成されている。この例のベースフィルム１０には、操作ボタン９１Ａが嵌ることのできる穴である位置決め部１１ａが形成されている。また、ベースフィルム１０の外縁（この例では右縁）には、操作ボタン９１Ｂ，９１Ｃがそれぞれ嵌ることのできる切り欠きである位置決め部１１ｂ，１１ｃが形成されている（この説明で切り欠きとはベースフィルム１０の縁に形成される凹部である）。保護フィルム２と剥離フィルム３はこれら位置決め部１１ａ〜１１ｃの位置を避けた形状である。換言すると、位置決め部１１ａ〜１１ｃは保護フィルム２を避けた位置に形成されている。さらに換言すると、位置決め部１１ａ〜１１ｃは保護フィルム２と重なっていない。すなわち、位置決め部１１ａ〜１１ｃは保護フィルム２が存在していない領域に形成されている。この例では、後において詳説するように、ベースフィルム１０は保護フィルム２と剥離フィルム３よりも右方向に張り出した部分１１を有し、当該張り出した部分１１に位置決め部１１ａ〜１１ｃは形成されている。位置決め部１１ａ，１１ｂ，１１ｃに操作ボタン９１Ａ，９１Ｂ，９１Ｃが嵌ることで、電子機器９０の前面におけるフィルム積層体１が規定される。
【００１８】
詳細には、位置決め部１１ａの縁は、位置決め部１１ａに操作ボタン９１Ａが嵌っているときに左右方向において操作ボタン９１Ａに当る部分と、位置決め部１１ａに操作ボタン９１Ａが嵌っているときに上下方向において操作ボタン９１Ａに当る部分とを有している。この例の位置決め部１１ａは穴であり、その縁は操作ボタン９１の全周を囲んでいる。そのため、位置決め部１１ａの縁は、左右方向において操作ボタン９１Ａに当る部分として、操作ボタン９１Ａを挟んで互いに反対側に位置する２つの部分、すなわち、操作ボタン９１Ａの右側に当る部分と操作ボタン９１Ａの左側に当る部分とを有している。また、位置決め部１１ａの縁は、上下方向において操作ボタン９１Ａに当る部分として、操作ボタン９１Ａを挟んで互いに反対側に位置する２つの部分、すなわち、操作ボタン９１Ａの上側に当る部分と操作ボタン９１Ａの下側に当る部分とを有している。そのため、位置決め部１１ａに操作ボタン９１Ａが嵌ることで、電子機器９０の前面におけるフィルム積層体１の上下方向及び左右方向の位置が規定される。つまり、位置決め部１１ａに操作ボタン９１Ａが嵌っているときにフィルム積層体１が上下方向及び左右方向に動かないように、位置決め部１１ａである穴の大きさが設定されている。この例の位置決め部１１ａは操作ボタン９１Ａに対応した形状の穴である。そのため、位置決め部１１ａの縁は、その全周に亘って、操作ボタン９１Ａの外周に当ることができる。この例の操作ボタン９１Ａは円柱状であるため、位置決め部１１ａは操作ボタン９１Ａに対応した大きさの円形の穴である。
【００１９】
また、位置決め部１１ｂの縁も、位置決め部１１ｂに操作ボタン９１Ｂが嵌っているときに上下方向において操作ボタン９１Ｂに当る部分を有している。位置決め部１１ｂは、ベースフィルム１０の右縁に形成された、操作ボタン９１Ｂの半周を囲む切り欠きである。そのため、位置決め部１１ｂの縁は、上下方向において操作ボタン９１Ｂに当る部分として、操作ボタン９１Ｂを挟んで互いに反対側に位置する２つの部分、すなわち操作ボタン９１Ｂの上側に当る部分と操作ボタン９１Ｂの下側に当る部分とを有している。また、位置決め部１１ｂの縁は、位置決め部１１ｂに操作ボタン９１Ｂが嵌っているときに操作ボタン９１Ｂの左側に当る部分を有している。そのため、位置決め部１１ｂに操作ボタン９１Ｂが嵌ることで、電子機器９０の前面におけるフィルム積層体１の上下方向及び左右方向の位置が規定され得る。つまり、位置決め部１１ｂに操作ボタン９１Ｂが嵌っているときにフィルム積層体１が上下方向及び右方向に動かないように、位置決め部１１ｂである切り欠きの大きさが設定されている。
【００２０】
同様に、位置決め部１１ｃは、ベースフィルム１０の右縁に形成された、操作ボタン９１Ｃの半周を囲む切り欠きである。そのため、位置決め部１１ｃの縁は、上下方向において操作ボタン９１Ｃに当る部分として、操作ボタン９１Ｃを挟んで互いに反対側に位置する２つの部分を有している。また、位置決め部１１ｃの縁は、操作ボタン９１Ｃの左側に当る部分を有している。そのため、位置決め部１１ｃに操作ボタン９１Ｃが嵌ることで、電子機器９０の前面におけるフィルム積層体１の上下方向及び左右方向の位置が規定される。
【００２１】
位置決め部１１ｂ，１１ｃは操作ボタン９１Ｂ，９１Ｃにそれぞれ対応した形状の切り欠きである。この例の操作ボタン９１Ｂ，９１Ｃは、操作ボタン９１Ａと同様に、円柱状であるため、位置決め部１１ｂ，１１ｃは半円弧状の切り欠きである。位置決め部１１ｂ，１１ｃは操作ボタン９１Ｂ，９１Ｃの半周に当っている。
【００２２】
この例の操作ボタン９１Ａ〜９１Ｄは円柱状であるため、位置決め部１１ａだけでは、操作ボタン９１Ａを中心とするフィルム積層体１の回転は許容される。図２に示すように、操作ボタン９１Ｂは操作ボタン９１Ａを中心とする右回り方向Ｄ１に位置し、操作ボタン９１Ｃは操作ボタン９１Ａを中心とする左回り方向Ｄ２に位置している。位置決め部１１ｂ，１１ｃは、このようにレイアウトされた操作ボタン９１Ｂ，９１Ｃが嵌る切り欠きである。そのため、位置決め部１１ｂ，１１ｃによって、フィルム積層体１の右回りの回転及び左回りの回転が規制される。すなわち、位置決め部１１ｂが操作ボタン９１Ｂの左側に当るので、フィルム積層体１の右回りの回転が規制される。また、位置決め部１１ｃは操作ボタン９１Ｃの左側に当るので、フィルム積層体１の左回りの回転が規制される。
【００２３】
このように、ベースフィルム１０は複数（この例では３つ）の操作ボタン９１Ａ，９１Ｂ，９１Ｃがそれぞれ嵌ることのできる複数（この例では３つ）の位置決め部１１ａ，１１ｂ，１１ｃを有している。このため、電子機器９０の前面におけるフィルム積層体１の位置を安定させることができる。
【００２４】
上述したように、ボタン群９１は４つの操作ボタン９１Ａ〜９１Ｄを含んでいる。図１及び図２に示すように、操作ボタン９１Ｄは、４つの操作ボタン９１Ａ〜９１Ｄのうち、表示エリアＡから最も離れて位置する、すなわち最も右方向に位置するボタンである。ベースフィルム１０の右縁１０ｃは操作ボタン９１Ｄよりも表示エリアＡ寄りに位置し、操作ボタン９１Ｄに対応する位置決め部はベースフィルム１０に形成されていない。これにより、ベースフィルム１０の左右方向の幅を小さくできている。
【００２５】
また、３つの位置決め部１１ａ，１１ｂ，１１ｃのうち２つの位置決め部１１ｂ，１１ｃは、上述したように、ベースフィルム１０の外縁（この例では右縁１０ｃ）に形成された切り欠き（凹部）である。この例の位置決め部１１ｂ，１１ｃは、位置決め部１１ａに嵌る操作ボタン９１Ａよりも左右方向の外方、具体的には操作ボタン９１Ａよりも右方向に位置する操作ボタン９１Ｂ，９１Ｃが嵌る切り欠きである。この構造によれば、位置決め部１１ｂ，１１ｃを、位置決め部１１ａと同様に、穴にする場合に比べて、ベースフィルム１０の左右方向の幅を小さくできる。
【００２６】
なお、電子機器９０には、表示エリアＡを挟んでボタン群９１とは反対側に、上述した方向キー９２を有している。図１及び図２に示すように、ベースフィルム１０は、この方向キー９２が嵌る穴や切り欠きを有していない。すなわち、電子機器９０は表示エリアＡの両側に操作部材を有しているものの、ベースフィルム１０は、表示エリアＡの一方側の操作部材に対応する位置にのみ、位置決め部１１ａ〜１１ｃを有している。この構造も、ベースフィルム１０の左右方向の幅の低減に寄与している。
【００２７】
位置決め部１１ａ，１１ｂ，１１ｃに操作ボタン９１Ａ，９１Ｂ，９１Ｃが嵌っているとき、位置決め部１１ａ，１１ｂ，１１ｃの縁は、上述したように、操作ボタン９１Ａ，９１Ｂ，９１Ｃに当る。一方、保護フィルム２の外縁は、図２に示すように、位置決め部１１ａ，１１ｂ，１１ｃから離れて位置している。保護フィルム２の形状及びサイズをこのように設定することで、保護フィルム２の縁が操作ボタン９１Ａ〜９１Ｃに誤って引っ付くことを防ぐことができる。その結果、保護フィルム２が操作ボタン９１Ａ〜９１Ｃの円滑な動きの障害となることを防ぐことができる。この例の保護フィルム２は電子機器９０の表示エリアＡに対応した、すなわち表示エリアＡに相当したサイズを有している。図１及び図２に示すように、ベースフィルム１０は保護フィルム２の外縁から右方向に張り出した部分１１を有している（以下において、部分１１を張り出し部とする）。位置決め部１１ａ〜１１ｃはこの張り出し部１１に形成されている。張り出し部１１によれば、保護フィルム２で保護したいエリア（この例では表示エリアＡ）から操作ボタン９１Ａ〜９１Ｃが離れて位置する場合でも、操作ボタン９１Ａ〜９１Ｃを利用しながらフィルム積層体１の位置を規定できる。
【００２８】
なお、上述したように、表示エリアＡの右側には、ボタン群９１に加えて操作スティック９３Ｒが設けられている。張り出し部１１には、操作スティック９３Ｒとベースフィルム１０との干渉を避けるための切り欠き（凹部）１１ｄが形成されている。
【００２９】
ベースフィルム１０の外周縁は、表示エリアＡの上方又は下方に位置する部分に電子機器９０の前面の縁に一致する縁を含んでいる。この例では、図２に示すように、位置決め部１１ａ〜１１ｃによってフィルム積層体１が電子機器９０に対して位置決めされているときに、ベースフィルム１０の上縁１０ａが電子機器９０の前面の上縁９０ａ（図１参照）の位置に一致し、電子機器９０の前面の上縁９０ａに沿っている。そのため、位置決め部１１ａ〜１１ｃだけでなく、上縁１０ａを利用することで、フィルム積層体１の位置のずれをさらに効果的に抑えることができる。
【００３０】
この例では、ベースフィルム１０は左右方向に細長い略矩形である。位置決め部１１ａ〜１１ｃはベースフィルム１０の左右方向における端部、この例では右端部に形成されている。そのため、ベースフィルム１０の左端部の位置は定まりにくい。電子機器９０の上縁９０ａの位置に一致する上縁１０ａを有するベースフィルム１０によれば、電子機器９０の前面におけるベースフィルム１０の位置のずれが、さらに抑えやすくなる。また、上縁１０ａは表示エリアＡや保護フィルム２の上縁に沿った縁である。そのため、上縁１０ａの位置を電子機器９０の上縁９０ａに一致させることによって、表示エリアＡに対する保護フィルム２の位置を容易に適正化できる。
【００３１】
この例の電子機器９０のハウジング９６の上面は、その最右部に、凹部９６ｃを有している（図１参照）。そのため、電子機器９０の前面の上縁９０ａの最右部は凹んでいる。図２に示すように、ベースフィルム１０の上縁１０ａの最右部１０ｂ、すなわち張り出し部１１の上縁は、電子機器９０の上縁９０ａの最右部に合わせて凹んでいる。これにより、上縁１０ａは、その全範囲において、上縁９０ａに沿っている。その結果、上縁１０ａの最右部１０ｂを上縁９０ａの最右部の位置に合わせることができ、フィルム積層体１の位置のずれがさらに抑え易くなる。なお、この例では、ハウジング９６の上面は、その最左部にも、凹部９６ｃを有している（図１参照）。そのため、電子機器９０の前面の上縁９０ａの最左部も凹んでいる。左右の凹部９６ｃに上部ボタン９４Ｒ，９４Ｌがそれぞれ配置されている。なお、ベースフィルム１０の下縁は、上縁１０ａとともに或いは上縁１０ａに替えて、電子機器９０の前面の縁に一致してもよい。
【００３２】
図１及び図２に示すように、ベースフィルム１０は、位置決め部１１ａ〜１１ｃとは反対側に、左縁１２ａを有している。左縁１２ａは、位置決め部１１ａ〜１１ｃに操作ボタン９１Ａ〜９１Ｃがそれぞれ嵌っているときに、表示エリアＡを挟んで操作ボタン９１Ａ〜９１Ｄとは反対側の方向キー９２に当る。これにより、フィルム積層体１の位置のずれがさらに効果的に抑えられる。この例では、左縁１２ａは方向キー９２の右側に当っている。そのため、左縁１２ａによれば、左右方向におけるフィルム積層体１の位置のずれが効果的に抑えられる。この例のベースフィルム１０は、方向キー９２に向かって、すなわち左方向に張り出す張り出し部１２を有している。この張り出し部１２に左縁１２ａが設けられている。なお、張り出し部１２はベースフィルム１０の上部から左方向に張り出し、ベースフィルム１０の下部にはこのような張り出し部は設けられていない。これにより、ベースフィルム１０と左側の操作スティック９３Ｌとの干渉を防ぐことができている。
【００３３】
図１及び図２に示すように、剥離フィルム３にはユーザが摘むためのタブ３１が設けられている。この例のタブ３１は、剥離フィルム３の保護フィルム２とは反対側の面に接着されたテープである。タブ３１は、位置決め部１１ａ〜１１ｃと同様に、位置決め部１１ａ〜１１ｃに操作ボタン９１Ａ〜９１Ｃがそれぞれ嵌っているときに、表示エリアＡと保護フィルム２とに対して右方向に位置している。すなわち、タブ３１は、剥離フィルム３の左右方向の中心（表示エリアＡの左右方向の中心）、換言すると左右方向の中心を規定する中心線Ｃ１よりも右方向に位置に貼り付けられている。この例では、タブ３１は剥離フィルム３の右端部に貼り付けられている。これにより、ユーザは保護フィルム２から剥離フィルム３を円滑に剥がすことができる。
【００３４】
つまり、ユーザは、図４に示すように、張り出し部１１の位置が操作ボタン９１Ａ〜９１Ｃに対してずれないように当該張り出し部１１を電子機器９０の前面に押さえながら、ベースフィルム１０を捲りあげてタブ３１を摘む。そして、ユーザは、張り出し部１１を電子機器９０の前面に押さえ付けながら、タブ３１を張り出し部１１とは反対側に向けて、すなわち左方向に動かす。これにより、剥離フィルム３が保護フィルム２から徐々に剥がれる。その際、ベースフィルム１０と保護フィルム２は左方向に引っ張られるので、当該ベースフィルム１０と保護フィルム２には撓みが生じない。その結果、ユーザは保護フィルム２から剥離フィルム３を円滑に剥がすことができる。剥離フィルム３が保護フィルム２から完全に剥がれると、保護フィルム２とベースフィルム１０はそれらの自重で電子機器９０の前面に向けて倒れ、保護フィルム２はその粘着面を通して表示エリアＡに接着される。ベースフィルム１０は保護フィルム２よりも高い剛性を有する材料であるため、保護フィルム２が電子機器９０の前面に向けて倒れる際、保護フィルム２が撓むことを抑えることができる。保護フィルム２を表示エリアＡに貼り付けた後、ベースフィルム１０を保護フィルム２から剥がすことにより、保護フィルム２のみが電子機器９０の前面に残る。なお、タブ３１は剥離フィルム３と一体的に形成されてもよい。すなわち、剥離フィルム３が右方向に突出する部分を有し、当該突出する部分がタブ３１として機能してもよい。
【００３５】
位置決め部１１ａ〜１１ｃは、図１に示すように、張り出し部１１の上部、すなわち切り欠き１１ｄよりも上側の部分に形成されている。張り出し部１１は位置決め部１１ａ〜１１ｃから下方に離れて位置し且つ剥離フィルム３と保護フィルム２よりも右方向に張り出した部分１１ｅを有している。この例では、部分１１ｅは張り出し部１１の下部、すなわち切り欠き１１ｄよりも下側の部分である。ユーザは保護フィルム２から剥離フィルム３を剥がす際、位置決め部１１ａ〜１１ｃが形成された部分だけでなく、部分１１ｅをも電子機器９０の前面に押さえ付けることができる。その結果、保護フィルム２から剥離フィルム３を剥がす際に張り出し部１１の位置がずれてしまうことを、容易に抑えることができる。
【００３６】
なお、タブ３１の位置は必ずしも剥離フィルム３の端部に限られない。例えば、タブ３１は、剥離フィルム３の左右方向の中心線Ｃ１と位置決め部１１ａ〜１１ｃとの間の部分に貼り付けられてもよい。
【００３７】
また、この例のタブ３１は剥離フィルム３から右方向に張り出している。しかしながら、タブ３１は剥離フィルム３の位置決め部１１ａ〜１１ｃ側の端部（この例では右端部）から下方に張り出してもよい。これによれば、張り出し部１１の部分１１ｅとタブ３１とが重ならなくなる。その結果、ユーザが剥離フィルム３を剥がす際に、張り出し部１１を電子機器９０の前面に押さえ付けやすくなる。
【００３８】
図５はフィルム積層体１の他の例を示す平面図である。この図では以上説明した箇所と同一の箇所には同一符合を付し、以下ではその説明を省略する。
【００３９】
図５に示すフィルム積層体１Ａはベースフィルム１０Ａを有している。ベースフィルム１０Ａは複数（この例では４つ）の位置決め部１１ｆ〜１１ｉを有している。位置決め部１１ｆ〜１１ｉはいずれもベースフィルム１０Ａを貫通する穴である。位置決め部１１ｆ〜１１ｉはそれぞれ操作ボタン９１Ａ〜９１Ｄに対応した、より詳細には、操作ボタン１９Ａ〜９１Ｄに相当した形状であり、操作ボタン９１Ａ〜９１Ｄは位置決め部１１ｆ〜１１ｉにそれぞれ嵌ることができる。このような位置決め部１１ｆ〜１１ｉによれば、いずれかの位置決め部を切り欠きにする形態に比べて、電子機器９０の前面におけるフィルム積層体の位置を安定させ易くなる。
【００４０】
また、複数の位置決め部１１ｆ〜１１ｉのうちいずれか１つに比べて、他の位置決め部として機能する穴のサイズは僅かに大きく設定されてよい。例えば、いずれか一つの位置決め部の大きさは操作ボタンの外形に相当する大きさに設定される。すなわち、当該１つの位置決め部の大きさは、操作ボタンの取付位置（例えば回路基板への取付位置）の誤差などを考慮することなく、操作ボタンの外形の寸法公差を考慮して設定される。一方、他の位置決め部は操作ボタンの外形の寸法公差と操作ボタンの取付位置の誤差の双方を考慮して設定される。こうすることにより、いずれの位置決め部にも確実に操作ボタンを嵌めることができる。また、上記１つの位置決め部によってベースフィルム１０Ａの上下方向及び左右方向の位置が規定される。そして、他の３つの位置決め部によって、前記一つの位置決め部に嵌る操作ボタンを中心とするベースフィルム１０の回転が規制される。
【００４１】
この例では、保護フィルム２に最も近い位置決め部１１ｆは、操作ボタン９１Ａの取付位置の誤差を考慮することなく、操作ボタン９１Ａの外形に相当する大きさに設定されている。すなわち、位置決め部１１ｆは残りの位置決め部１１ｇ〜１１ｉよりも僅かに小さく設定されている。そのため、位置決め部１１ｇ〜１１ｉの操作ボタン９１Ｂ〜９１Ｄに対する相対位置の自由度は、位置決め部１１ｆの操作ボタン９１Ａに対する相対位置の自由度よりも大きい。こうすることにより、いずれの位置決め部にも確実に操作ボタンを嵌めることができる。また、いずれか１つの位置決め部を小さくして、他の位置決め部を僅かに大きくした場合、ベースフィルム１０Ａは当該小さな位置決め部の操作ボタンを中心にして僅かに回転できる場合がある。この例では、小さな大きさに設定された位置決め部１１ｆは最も保護フィルム２に近い位置決め部であるため、位置決め部１１ｇ〜１１ｉのいずれかを小さくする構造に比べて、操作ボタンを中心としたベースフィルム１０Ａの表示エリアＡに対する回転位置のずれを低減できる。
【００４２】
上述のベースフィルム１０と同様に、ベースフィルム１０Ａの上縁１０ａは電子機器９０の前面の上縁９０ａ（図１参照）の位置に一致し、電子機器９０の前面の上縁９０ａに沿うよう形成されている。さらに、ベースフィルム１０Ａの右縁１０ｃは、電子機器９０の前面の右縁の位置に一致し、電子機器９０の右縁に沿うよう形成されている。ここで説明する例では、電子機器９０の右縁は弧状に湾曲しており、ベースフィルム１０Ａの右縁１０ｃもそれに合わせて湾曲している。位置決め部１１ｆ〜１１ｉだけでなく、上縁１０ａ及び右縁１０ｃをも利用することで、フィルム積層体１Ａの位置のずれを抑えることができる。なお、上縁１０ａに替えて又は上縁１０ａとともに、ベースフィルム１０Ａの下縁１０ｄは電子機器９０の下縁の位置に一致してもよい。また、ベースフィルム１０Ａに左側の方向キー９２が嵌る位置決め部が形成される形態においては、ベースフィルム１０Ａの左縁が電子機器９０の左縁の位置に一致してもよい。
【００４３】
ベースフィルム１０Ａには、操作スティック９３Ｒとベースフィルム１０Ａとの干渉を避けるための穴１１ｊが形成されている。穴１１ｊは操作スティック９３Ｒに対応した形状を有している。この例の穴１１ｊは円形である。このような穴１１ｊによれば、上述の切り欠き１１ｄを張り出し部１１に形成する場合に比して、張り出し部１１の面積を大きくできる。その結果、剥離フィルム３を保護フィルム２から剥がす作業を行う際に、張り出し部１１を電子機器９０の前面に押さえ付け易くなり、作業性の向上を図ることができる。
【００４４】
また、この例においても剥離フィルム３にはタブ３１Ａが貼り付けられている。タブ３１Ａは剥離フィルム３の右端部に貼り付けられ、剥離フィルム３から下方に突出している。タブ３１Ａのこのレイアウトによれば、保護フィルム２の貼り付け作業を行う際に、張り出し部１１の下部、すなわち操作スティック９３Ｒよりも下側の部分をユーザが押えやすくなる。
【００４５】
図６乃至図８はフィルム積層体のさらに他の例を示す平面図である。この図では以上説明した箇所と同一の箇所には同一符合を付し、以下ではその説明を省略する。図６はフィルム積層体１Ｂの平面図を示し、図７は図６に示すＶＩＩ−ＶＩＩ線での断面図を示している。図８はフィルム積層体１Ｂの貼り付け方法を説明するための断面図である。
【００４６】
図６に示すように、剥離フィルム３にはタブ３１Ｂが設けられている。タブ３１Ｂは剥離フィルム３の保護フィルム２とは反対側の面に貼り付けられている。タブ３１Ｂも、タブ３１と同様に、剥離フィルム３の中心線Ｃ１に対して位置決め部１１ｆ〜１１ｉ側に貼り付けられている。この例では、タブ３１Ｂは剥離フィルム３の端部（この例では右端部）に貼り付けられ、且つ、剥離フィルム３の下縁から張り出している。そのため、ユーザが保護フィルム２の貼り付け作業を行う際、タブ３１Ｂはユーザに向かって突出することとなる。その結果、貼り付け作業がさらに容易になる。
【００４７】
図７に示すように、タブ３１Ｂはタブ本体３１ａとカバー３１ｂとを有している。タブ本体３１ａは剥離フィルム３に貼り付けられる粘着面を有し、且つ剥離フィルム３の下縁から張り出した部分を有している。カバー３１ｂはタブ本体３１ａの張り出した部分に貼り付けられ、張り出した部分の粘着面をカバーしている。カバー３１ｂの全体は剥離フィルム３の下縁の下方に位置している。すなわち、カバー３１ｂは剥離フィルム３と重なっていない。その結果、剥離フィルム３に対するタブ本体３１ａの接着面積を増すことができている。なお、この例では、図６に示すように、タブ３１Ｂの右縁は剥離フィルム３の右縁よりも内側に位置している。タブ３１Ｂの位置はこれに限られず、タブ３１Ｂの右縁は剥離フィルム３の右縁に一致していてもよい。
【００４８】
図７に示すベースフィルム１０Ｂは、上述したベースフィルム１０Ａと同じサイズを有している。ベースフィルム１０Ｂは、当該メインフィルム１０Ｂのサイズを規定するメインフィルム１０ｅと、サブフィルム１０ｆとカバーフィルム１０ｇとを含んでいる。サブフィルム１０ｆは保護フィルム２と剥離フィルム３とに対応したサイズ、すなわちフィルム２，３に相等するサイズを有している。メインフィルム１０ｅはサブフィルム１０ｆ側の面に粘着面を有し、この粘着面によってサブフィルム１０ｆに貼り付けられている。サブフィルム１０ｆは保護フィルム２に貼り付けられている。メインフィルム１０ｅはサブフィルム１０ｆの外縁から張り出した部分を有している。カバーフィルム１０ｇはサブフィルム１０ｆを取り囲む枠状であり、サブフィルム１０ｆの回りの粘着面（サブフィルム１０ｆの外縁から張り出した部分の粘着面）に貼り付けられている。サブフィルム１０ｆの外周縁とカバーフィルム１０ｇと内周縁との間にはクリアランスｋが設定されている。クリアランスｋは、フィルム積層体１Ｂの平面視において、上述したタブ３１Ｂのカバー３１ｂの縁（剥離フィルム３側の縁）とオーバーラップしている。すなわち、カバー３１ｂの縁と剥離フィルム３の下縁との間のクリアランスは、クリアランスｋより小さい。これにより、カバー３１ｂの縁と剥離フィルム３の下縁との間の粘着面が、カバーフィルム１０ｇに引っ付くことを抑えることができる。なお、カバー３１ｂの縁と剥離フィルム３の下縁との間には必ずしもクリアランスはなくてもよい。
【００４９】
なお、位置決め部１１ｆ〜１１ｉ、及びベースフィルム１０Ｂと操作スティック９３Ｒとの干渉を避けるための穴１１ｊはメインフィルム１０ｅとカバーフィルム１０ｇとに形成されている。フィルム積層体１Ｂの製造工程では、剥離フィルム３と保護フィルム２とサブフィルム１０ｆの基材となる３層フィルムをカットすることにより、剥離フィルム３と保護フィルム２とサブフィルム１０ｆとが得られる。その後、サブフィルム１０ｆにメインフィルム１０ｅが貼り付けられる。
【００５０】
タブ３１Ｂは、上述したように、剥離フィルム３の下縁から張り出している。タブ３１Ｂは剥離フィルム３の下縁に沿った方向に細長い。すなわち、タブ３１Ｂの左右方向の幅はタブ３１Ｂの上下方向の幅よりも大きい。その結果、タブ３１Ｂを摘んで剥離フィルム３を保護フィルム２から剥がす際に、剥離フィルム３の下縁に十分な力が作用し易くなる。
【００５１】
図６及び図８に示すように、ベースフィルム１０Ｂはタブ３１Ｂと位置決め部１１ｆ〜１１ｉとの間に屈曲線部１０ｈを有している。すなわち、屈曲線部１０ｈはタブ３１Ｂよりも位置決め部１１ｆ〜１１ｉ側に位置している。屈曲線部１０ｈは剥離フィルム３の外縁の外側に位置している。屈曲線部１０ｈは、当該屈曲線部１０ｈでベースフィルム１０Ｂが折れ曲がるように形成されている。そのため、位置決め部１１ｆ〜１１ｉを利用してベースフィルム１０Ｂを位置決めした状態で剥離フィルム３を剥がす際、フィルム積層体１Ｂの左側部分（剥離フィルム３が位置する部分）を電子機器９０の前面に対して傾けやすくなる。その結果、タブ３１Ｂと電子機器９０の前面との間に十分な距離が確保され、タブ３１Ｂを引っ張る作業が行い易くなる。この例のベースフィルム１０Ｂには、屈曲線部１０ｈとして、ベースフィルム１０Ｂを貫通する細長い穴であるスリットが形成されている。なお、屈曲線部１０ｈはスリットに限られない。例えば、屈曲線部１０ｈは溝や、屈曲線部１０ｈの延伸方向に並ぶ複数の孔や凹部でもよい。また、屈曲線部１０ｈは切り込み線でもよい。また、屈曲線部１０ｈはメインフィルム１０ｅとカバーフィルム１０ｇのいずれか一方にのみ形成されてもよい。
【００５２】
上述したように、位置決め部１１ｆ〜１１ｉは剥離フィルム３の右方向に位置している。屈曲線部１０ｈは剥離フィルム３の右縁に沿って伸びている。その結果、図８に示すように、ベースフィルム１０Ｂを屈曲線部１０ｈで折り曲げたときに、剥離フィルム３の右側部分と電子機器９０の前面との間に十分な距離を確保することが容易となる。屈曲線部１０ｈの長さは、ベースフィルム１０Ｂが折れ曲がるのに十分な長さに設定されている。この例の屈曲線部１０ｈは、複数の位置決め部１１ｆ〜１１ｉの全体の上下幅Ｗ１よりも長い。そのため、位置決め部１１ｆ〜１１ｉを利用してベースフィルム１０Ｂを位置決めしながら、ベースフィルム１０Ｂを適切に折り曲げることができる。この例では、屈曲線部１０ｈの上端は、最も上方に位置する位置決め部１１ｇよりも上方に位置している。また、屈曲線部１０ｈの下端は、最も下方に位置する位置決め部１１ｈよりも下方に位置している。この例の屈曲線部１０ｈの下端は穴１１ｊよりも更に下方に位置し、タブ３１Ｂに対して右方向に位置している。そのため、ベースフィルム１０Ｂを屈曲線部１０ｈで折り曲げたときに、タブ３１Ｂと電子機器９０の前面との間に十分な距離を確保することがさらに容易となる。
【００５３】
図９は本発明の第２の実施形態に係るフィルム積層体１００を示す図である。この図では以上説明した箇所と同一の箇所には同一符合を付し、以下ではその説明を省略する。
【００５４】
フィルム積層体１００はベースフィルム１１０を有している。ベースフィルム１１０は、複数の操作ボタン９１Ａ〜９１Ｄの全体、すなわちボタン群９１が嵌ることのできる穴である位置決め部１１１ａを有している。ベースフィルム１１０は、ベースフィルム１０と同様に、保護フィルム２と剥離フィルム３よりも右方向に張り出す張り出し部１１１を有し、張り出し部１１１に位置決め部１１１ａは形成されている。位置決め部１１１ａに操作ボタン９１Ａ〜９１Ｄが嵌ることで、電子機器９０の前面におけるフィルム積層体１の位置が規定される。
【００５５】
詳細には、位置決め部１１１ａは操作ボタン９１Ａ〜９１Ｄの全体に対応した形状及びサイズの穴である。そのため、位置決め部１１１ａの縁は、左右方向において操作ボタン９１Ａ，９１Ｄに当る部分と、上下方向において操作ボタン９１Ｂ，９１Ｃに当る部分とを有している。すなわち、位置決め部１１１ａの縁は、操作ボタン９１Ａの左側に当る部分と、操作ボタン９１Ｄの右側に当る部分と、操作ボタン９１Ｂの上側に当る部分と、操作ボタン９１Ｃの下側に当る部分とを有している。そのため、位置決め部１１１ａに操作ボタン９１Ａ〜９１Ｄが嵌ることで、電子機器９０の前面におけるフィルム積層体１の上下方向及び左右方向の位置が規定される。また、位置決め部１１１ａは略矩形である。そのため、位置決め部１１１ａに操作ボタン９１Ａ〜９１Ｄが嵌ることで、フィルム積層体１の回転も規制される。
【００５６】
図１０及び図１１は本発明の第３の実施形態に係るフィルム積層体２００を示す図である。図１１は図１０に示すＸＩ−ＸＩ線での断面図である。これらの図では、以上説明した箇所と同一の箇所には同一符合を付し、以下ではその説明を省略する。
【００５７】
フィルム積層体２００は、図１１に示すように、保護フィルム２０２と、剥離フィルム２０３と、ベースフィルム２１０とを有している。図１０に示すように、この例の保護フィルム２０２と剥離フィルム２０３は表示エリアＡよりも大きなサイズを有している。具体的には保護フィルム２０２と剥離フィルム２０３は、電子機器９０の前面、すなわちフロントパネル９５に対応する、すなわちフロントパネル９５に相当するサイズを有している。このような保護フィルム２０２によれば、電子機器９０の前面の全域を保護することができる。保護フィルム２０２の表示エリアＡ以外の領域には絵柄が施されてもよい。こうすることにより、電子機器９０を装飾できる。
【００５８】
ベースフィルム２１０は保護フィルム２０２に対応するサイズを有している。図１０に示すように、ベースフィルム２１０には、操作ボタン９１Ａ〜９１Ｄがそれぞれ嵌ることのできる穴である複数の位置決め部２１１ａ〜２１１ｄが形成されている。各位置決め部２１１ａ〜２１１ｄは、上述した位置決め部１１ａと同様に、操作ボタン９１Ａ〜９１Ｄにそれぞれ対応する形状の穴である。そのため、位置決め部２１１ａ〜２１１ｄに操作ボタン９１Ａ〜９１Ｄが嵌ることで、電子機器９０の前面におけるフィルム積層体２００の上下方向及び左右方向の位置が規定される。また、フィルム積層体２００の回転も規制される。また、ベースフィルム２１０には、右側の操作スティック９３Ｒとの干渉を避けるための穴２１１ｅが形成されている。
【００５９】
保護フィルム２０２には、位置決め部２１１ａ〜２１１ｄに対応する位置に、穴２０２ａが形成されている。同様に、剥離フィルム２０３には、位置決め部２１１ａ〜２１１ｄに対応する位置に、穴２０３ａが形成されている（図１１参照）。この穴２０２ａ，２０３ａは、当該穴２０２ａ，２０３ａに操作ボタン９１Ａ〜９１Ｄの全体と右側の操作スティック９３Ｒとが嵌ることのできる形状を有している。この例の穴２０２ａ，２０３ａは、操作ボタン９１Ａ〜９１Ｄの全体が嵌ることのできる円形の穴と操作スティック９３Ｒが嵌ることのできる円形の穴とが合体した形状である。
【００６０】
図１１に示すように、位置決め部２１１ａ〜２１１ｄに操作ボタン９１Ａ〜９１Ｄがそれぞれ嵌っているときに、位置決め部２１１ａ〜２１１ｄの縁は操作ボタン９１Ａ〜９１Ｄに当る。位置決め部２１１ａ〜２１１ｄは保護フィルム２０２を避けた位置に形成されている。すなわち、穴２０２ａの縁２０２ｂは位置決め部２１１ａ〜２１１ｄから離れて位置し、縁２０２ｂと各位置決め部２１１ａ〜２１１ｄの縁との間にはクリアランスＢが設けられている。そのため、保護フィルム２０２の縁２０２ｂが操作ボタン９１Ａ〜９１Ｃに誤って引っ付くことを防ぐことができる。その結果、保護フィルム２０２が操作ボタン９１Ａ〜９１Ｄの円滑な動きの障害となることを防ぐことができる。
【００６１】
図１に示すように、この例の電子機器９０のフロントパネル９５の右側部分には開口９５ａが形成されている。４つの操作ボタン９１Ａ〜９１Ｄと操作スティック９３Ｒは開口９５ａの内側に位置している。図１０に示すように、保護フィルム２０２の穴２０２ａはフロントパネル９５の開口９５ａに対応した形状となっている。ハウジング９６は開口９５ａに嵌る部分９６ａを有している。操作ボタン９１Ａ〜９１Ｄと操作スティック９３Ｒは部分９６ａに形成された複数の穴からそれぞれ前方に突出している。フロントパネル９５の開口９５ａの縁と部分９６ａは面一となっている。保護フィルム２０２の穴２０２ａはフロントパネル９５の開口９５ａに対応した形状となっているため、保護フィルム２０２はフロントパネル９５にのみ貼り付けられ、部分９６ａには貼り付けられない。
【００６２】
また、フロントパネル９５の左側部分には、図１に示すように、開口９５ｂが形成されている。方向キー９２と操作スティック９３Ｌは開口９５ｂの内側に位置している。ハウジング９６は開口９５ｂに嵌る部分９６ｂを有している。方向キー９２と操作スティック９３Ｌは、部分９６ｂに形成された複数の穴からそれぞれ前方に突出している。開口９５ｂの縁と部分９６ｂも面一となっている。
【００６３】
ベースフィルム２１０の左側部分には、図１０に示すように、方向キー９２と左側の操作スティック９３Ｌとが嵌ることのできる穴２１０ｄが形成されている。この例の穴２１０ｄはフロントパネル９５の開口９５ｂに対応した形状を有し、穴２１０ｄの縁は方向キー９２に当っていない。そのため、上述の位置決め部２１１ａ〜２１１ｄと穴２１０ｄとの相対位置に要求される精度、すなわちベースフィルム２１０の形状に必要とされる精度を低減できている。また、保護フィルム２０２にも、方向キー９２と左側の操作スティック９３Ｌとが嵌ることのできる穴２０２ｄが形成されている。この２０２ｄもフロントパネル９５の開口９５ｂに対応した形状を有している。この例では、穴２１０ｄ，２０２ｄは、方向キー９２が嵌ることのできる円形の穴と操作スティック９３Ｌが嵌ることのできる円形の穴とが合体した形状である。なお、剥離フィルム２０３にも穴２０２ｄと同じ形状の穴が形成されている。
【００６４】
この例の剥離フィルム２０３は穴２０３ａが形成された右側部分Ｒと、左側部分Ｌとに分かれている。すなわち、剥離フィルム２０３には上下方向の切れ目ＣＬが形成されている。剥離フィルム２０３にはタブ３１が貼り付けられている。この例では、タブ３１は左側部分Ｌに貼り付けられている。特にタブ３１は切れ目ＣＬに近接している。これによれば、ユーザによる保護フィルム２０２の貼り付け作業が容易になる。つまり、貼り付け作業では、まず位置決め部２１１ａ〜２１１ｄと操作ボタン９１Ａ〜９１Ｄとを利用して、電子機器９０の前面におけるフィルム積層体２００の位置を確定する。そして、タブ３１を利用して、剥離フィルム２０３の左側部分Ｌを保護フィルム２０２から剥がし、保護フィルム２０２を電子機器９０の前面に貼り付ける。その後、剥離フィルム２０３の右側部分Ｒを保護フィルム２０２から剥がし、保護フィルム２０２の右側部分を電子機器９０の前面に貼り付ける。これによれば、剥離フィルム２０３の右側部分Ｒと左側部分Ｌとが繋がっている場合、すなわち、剥離フィルム２０３に切れ目ＣＬが形成されていない場合に比べて、位置決め部２１１ａ〜２１１ｄと操作ボタン９１Ａ〜９１Ｄとを利用しながら剥離フィルム２０３を剥がすことが容易となる。この例では、切れ目ＣＬは保護フィルム２０２と剥離フィルム２０３の左右方向の中心に対して位置決め部２１１ａ〜２１１ｄ側に形成されている。これによれば、剥離フィルム２０３の左側部分Ｌを保護フィルム２０２から剥がした時に、電子機器９０の前面に貼り付けられる保護フィルム２０２の左側部分の面積が大きくなる。その結果、保護フィルム２０２の右側部分を電子機器９０の前面に貼り付ける作業を行う際に、保護フィルム２０２の位置ずれが生じ難くなる。特にこの例の切れ目ＣＬは表示エリアＡよりも右側に形成されている。なお、保護フィルム２０２には切れ目ＣＬは形成されていない。
【００６５】
図１０に示すように、剥離フィルム２０３にはタブ３１が貼り付けられている。ベースフィルム２１０はタブ３１と位置決め部２１１ａ〜２１１ｄとの間に屈曲線部２１０ｈを有している。屈曲線部２１０ｈは、当該屈曲線部２１０ｈでベースフィルム２１０が折れ曲がるように形成されている。そのため、剥離フィルム２０３を剥がす際に、タブ３１を摘んで当該タブ３１を斜め上方に引っ張る作業が行い易くなる。この例では、屈曲線部２１０ｈは切れ目ＣＬよりも位置決め部２１１ａ〜２１１ｄ側に位置している。そのため、位置決め部２１１ａ〜２１１ｄを利用してフィルム積層体２００を位置決めしている状態で剥離フィルム２０３の左側部分を剥がす作業が容易になる。なお、屈曲線部２１０ｈは切れ目ＣＬに沿って伸びている。この例のベースフィルム２１０には、屈曲線部２１０ｈとして、ベースフィルム２１０を貫通する細長い穴であるスリットが形成されている。なお、屈曲線部２１０ｈは溝や、直線的に並ぶ複数の孔、複数の凹部、切り込み線でもよい。
【００６６】
以上説明したように、ベースフィルム１０，１０Ａ，１０Ｂには、電子機器９０の操作ボタン９１Ａ〜９１Ｄが嵌ることができ電子機器９０の前面におけるフィルム積層体１の位置を規定するための穴又は切り欠きである位置決め部１１ａ〜１１ｃ，１１ｆ〜１１ｉが形成されている。また、ベースフィルム１１０，２１０には操作ボタン９１Ａ〜９１Ｄが嵌ることのできる穴である位置決め部１１１ａ，２１１ａ〜２１１ｄが形成されている。この構造によれば、ユーザが保護フィルム２，２０２を電子機器９０に貼る作業を行う際に、電子機器９０の前面における保護フィルム２，２０２の位置を安定させることができ、保護フィルム２の貼り付け作業を容易化できる。また、剥離フィルム３，２０３には、ユーザが剥離フィルム３，２０３を剥がすときに摘むためのタブ３１、３１Ａ，３１Ｂが設けられている。タブ３１、３１Ａ，３１Ｂは表示エリアＡの中心に対応する位置よりも位置決め部側に位置している。これにより、位置決め部を利用してフィルム積層体１，２００の位置を規定している状態で剥離フィルム３，２０３を剥がす作業が行い易くなる。なお、ベースフィルム１０，１０Ａ，１１０，２１０も、ベースフィルム１０Ｂを構成するメインフィルム１０ｅとサブフィルム１０ｆとカバーフィルム１０ｇとを含んでもよい。
【００６７】
タブ３１Ｂはタブ本体３１ａとカバー３１ｂとを有している。タブ本体３１ａは剥離フィルム３に貼り付けられる粘着面を有し、且つ剥離フィルム３の下縁から張り出した部分を有している。また、カバー３１ｂは剥離フィルム３の下縁の下方に位置し、且つタブ本体３１ａの張り出した部分に貼り付けられている。これによれば、剥離フィルム３に対するタブ本体３１ａの接着面積を増すことができる。
【００６８】
位置決め部１１ａ〜１１ｃ，１１ｆ〜１１ｉは保護フィルム２と剥離フィルム３とから離れた位置に形成されており、タブ３１，３１Ｂは剥離フィルム３の位置決め部１１ａ〜１１ｃ，１１ｆ〜１１ｉ側の端部に設けられている。これによれば、タブ３１，３１Ｂを利用して剥離フィルム３を剥がす作業がさらに容易になる。
【００６９】
ベースフィルム１０Ｂ，２１０は、タブ３１Ｂ，３１と位置決め部１１ｆ〜１１ｉ，２１０ａ〜２１０ｄとの間に屈曲線部１０ｈ，２１０ｈを有している。屈曲線部１０ｈ，２１０ｈは屈曲線部１０ｈ，２１０ｈでベースフィルム１０Ｂ，２１０が折れ曲がるように形成されている。これによれば、タブ３１Ｂ，３１Ｂを利用して剥離フィルム３を剥がす作業がさらに容易になる。
【００７０】
位置決め部３１Ｂは剥離フィルム３に対して右方向に位置し、屈曲線部１０ｈは剥離フィルム３の右側の縁に沿って伸びている。これによれば、タブ３１Ｂを利用して剥離フィルム３を剥がす作業がさらに容易になる。
【００７１】
フィルム積層体２００では、保護フィルム２０２と剥離フィルム２０３とベースフィルム２１０は、電子機器９０の前面に対応したサイズを有している。保護フィルム２０２と剥離フィルム２０３とには、位置決め部２１１ａ〜２１１ｄの位置を避ける孔２０２ａ，２０３ａが形成されている。これによれば、電子機器９０の前面の全域を保護できる。
【００７２】
剥離フィルム２０３位置決め部２１１ａ〜２１１ｄの位置を避ける孔２０２ａ，２０３ａが形成された右側部分Ｒと、その他の部分である左側部分Ｌとに分割されており、タブ３１は左側部分Ｌに設けられている。そして、タブ３１は左側部分Ｌに設けられている。これによれば、簡単な作業で、電子機器９０の前面の全域を保護する保護フィルム２０２を当該前面に貼り付けることができる。
【００７３】
ベースフィルム２１０はタブ３１と位置決め部２１１ａ〜２１１ｄとの間に屈曲線部２１０ｈを有し、屈曲線部２１０ｈは当該屈曲線部２１０ｈでベースフィルム２１０が折れ曲がるように形成されている。これによれば、保護フィルム２０２の貼り付け作業をさらに容易化できる。
【００７４】
また、ベースフィルム１０，１０Ａ，１０Ｂ，１１０，２１０は保護フィルム２，２０２よりも高い剛性を有している。これによれば、電子機器９０の前面における保護フィルム２，２０２の位置をさらに安定させることができる。
【００７５】
また、位置決め部１１ａ〜１１ｃ，１１ｆ〜１１ｉ，１１１ａ，２１１ａ〜２１１ｄである穴又は切り欠きの縁は、これら位置決め部に操作ボタン９１Ａ〜９１Ｄが嵌っているときに操作ボタン９１Ａに左右方向で当る部分を有している。また、位置決め部１１ａ〜１１ｃ，１１１ａ，２１１ａ〜２１１ｄである穴又は切り欠きの縁は、これら位置決め部に操作ボタン９１Ａ〜９１Ｄが嵌っているときに上下方向で操作ボタン９１Ａ〜９１Ｄに当る部分を含んでいる。これにより、フィルム積層体１，１００，２００の左右方向及び上下方向の位置を規定できる。
【００７６】
また、位置決め部１１ａ〜１１ｃ，１１ｆ〜１１ｉ，２１１ａ〜２１１ｄは操作ボタン９１Ａ〜９１Ｄに対応した形状を有している。これにより、フィルム積層体１，２００の位置のずれをさらに効果的に抑えることができる。
【００７７】
また、位置決め部１１ａ〜１１ｃ，１１ｆ〜１１ｉ，１１１ａ，２１１ａ〜２１１ｄは保護フィルム２，２０２を避けている。これによれば、操作ボタン９１Ａ〜９１Ｄと保護フィルム２，２０２との干渉を抑えることができる。
【００７８】
また、ベースフィルム１０，１１０は、保護フィルム２の右縁から張り出した部分１１，１１１をそれぞれ有し、位置決め部１１ａ〜１１ｃ，１１ｆ〜１１ｉ，１１１ａは張り出した部分１１，１１１にそれぞれ形成されている。このようなベースフィルム１０，１１０によれば、保護フィルム２の縁が操作ボタン９１Ａ〜９１Ｄに引っ付くこと、すなわち、保護フィルム２が操作ボタン９１Ａ〜９１Ｄの障害となることを、確実に防ぐことができる。また、保護フィルム２で保護したいエリア（この例では表示エリアＡ）から操作ボタン９１Ａ〜９１Ｄが離れて位置する場合でも、操作ボタン９１Ａ〜９１Ｄを利用しながらフィルム積層体１，１００の位置を規定できる。
【００７９】
また、保護フィルム２０２には操作ボタン９１Ａ〜９１Ｄが嵌る穴２０２ａが形成され、保護フィルム２０２の穴２０２ａの縁は、位置決め部２１１ａ〜２１１ｄである穴の縁から離れている。
【００８０】
また、ベースフィルム１０は、複数の操作ボタン９１Ａ〜９１Ｃがそれぞれ嵌ることのできる複数の位置決め部１１ａ〜１１ｃを有し、ベースフィルム１０Ａ，１０Ｂ，２１０は複数の操作ボタン９１Ａ〜９１Ｄがそれぞれ嵌ることのできる複数の位置決め部１１ｆ〜１１ｉ，２１１ａ〜２１１ｄを有している。このようなベースフィルム１０，１０Ａ，１０Ｂ，２１０によれば、フィルム積層体１，２００の位置ずれを効果的に抑えることができる。
【００８１】
また、位置決め部１１ｂ，１１ｃはベースフィルム１０の縁に形成された切り欠きである。このようなベースフィルム１０によれば、さらにそのサイズを小さくできる。
【００８２】
また、ベースフィルム１１０にはボタン群９１を構成する複数の操作ボタン９１Ａ〜９１Ｄの全体が嵌ることのできる位置決め部１１１ａが形成されている。このようなベースフィルム１１０によれば、操作ボタン９１Ａ〜９１Ｄとベースフィルム１１０とが当る箇所が少なくなるので、ベースフィルム１１０の形状について高い精度が要求される箇所を減らすことができる。
【００８３】
また、フィルム積層体１，１Ａ，１Ｂ，１００では、位置決め部１１ａ〜１１ｃ，１１ｆ〜１１ｉ，１１１ａは表示エリアＡに対して右方向に位置している。また、剥離フィルム３にはユーザが摘むためのタブ３１が設けられている。そして、タブ３１も表示エリアＡに対して右方向に位置している。タブ３１のこのようなレイアウトによれば、ユーザが剥離フィルム３を円滑に剥がすことができる。
【００８４】
また、ベースフィルム１０，１０Ａ，１０Ｂ，１１０は、操作スティック９３Ｒの下方に位置し且つ保護フィルム２よりも右方向に張り出した部分を有している。このようなベースフィルム１０，１１０によれば、剥離フィルム３を剥がす作業がさらに容易になる。
【００８５】
ベースフィルム１０，１０Ａ，１０Ｂは位置決め部１１ａ〜１１ｃ，１１ｆ〜１１ｉに操作ボタン９１Ａ〜９１Ｄが嵌っているときに、電子機器９０の上縁９０ａの位置に一致する上縁１０ａを有している。この構造によれば、電子機器９０の前面に対するフィルム積層体１，１Ａ，１Ｂの位置をさらに容易に適正化できる。
【００８６】
また、ベースフィルム１０，１０Ａ，１０Ｂは左右方向に細長い形状であり、位置決め部１１ａ〜１１ｃ，１１ｆ〜１１ｉはベースフィルム１０，１０Ａ，１０Ｂの右端部寄りに位置している。上縁１０ａは左右方向に沿った縁である。この構造によれば、電子機器９０の前面に対するフィルム積層体１，１Ａ，１Ｂの位置をさらに容易に適正化できる。
【００８７】
また、フィルム積層体２００では、保護フィルム２０２は電子機器９０の前面に対応したサイズを有している。このような保護フィルム２０２によれば、電子機器９０の前面の全域を保護できる。
【００８８】
また、ベースフィルム１０，１０Ａ，１０Ｂ，１１０は方向キー９２に当る左縁１２ａを有している。このようなベースフィルム１０，１０Ａ，１０Ｂ，１１０によれば、電子機器９０の前面に対するフィルム積層体１，１Ａ，１Ｂの位置をさらに容易に適正化できる。
【００８９】
なお、本発明は以上説明した実施形態に限られず、種々の変更が可能である。
【００９０】
例えば、保護フィルム２とベースフィルム１０との間にはさらに他のフィルムが配置され、ベースフィルム１０はこのフィルムを通して保護フィルム２に貼り付けられてもよい。
【００９１】
また、複数の位置決め部１１ａ〜１１ｃ，１１ｆ〜１１ｉ，１１１ａ，２１１ａ〜２１１ｄに替えて、方向キー９２が嵌る穴又は切り欠きが位置決め部としてベースフィルム１０，１１０，２１０に形成されてもよい。この場合、タブ３１，３１Ｂは表示エリアＡの左右方向の中心線Ｃ１に対して左側に設けられる。例えば、タブ３１，３１Ｂは剥離フィルム３の左端から下方に突出する。
【００９２】
また、ベースフィルム１０には、位置決め部１１ｂ，１１ｃとして機能する切り欠きに替えて、位置決め部１１ａと同様の穴が形成されてもよい。
【００９３】
また、ベースフィルム１０，１０Ａ，１０Ｂには必ずしも張り出し部１２は形成されていなくてもよい。
【００９４】
また、フィルム積層体１，１Ａ，１Ｂ，１００において、保護フィルム２は表示エリアＡよりも僅かに大きくてもよい。
【００９５】
また、図６乃至図８に示すフィルム積層体１Ｂは、一方の面が電子機器９０の表示エリアＡに貼り付けるための粘着面である保護フィルム２と、保護フィルム２の上記一方の面に貼り付けられ、当該一方の面から剥離可能な剥離フィルム３と、保護フィルム２の他方の面に貼り付けられ、当該他方の面から剥離可能なベースフィルム１０Ｂとを含んでいる。ベースフィルム１０Ｂはメインフィルム１０ｅとサブフィルム１０ｆとカバーフィルム１０ｇとを含んでいる。サブフィルム１０ｆは保護フィルム２に対応するサイズを有し、当該保護フィルム２に貼り付けられている。メインフィルム１０ｅはサブフィルム１０ｆに貼り付けられる粘着面を有し、且つ、サブフィルム１０ｆの外縁から張り出した部分を有している。カバーフィルム１０ｇは、メインフィルム１０ｅの張り出した部分に貼り付けられている。以上の例ではカバーフィルム１０ｇはサブフィルム１０ｆを取り囲んでいる。剥離フィルム３にはタブ本体３１ａとカバー３１ｂとを含むタブ３１Ｂが貼り付けられている。タブ本体３１ａは、剥離フィルム３に貼り付けられ且つメインフィルム１０ｅの粘着面と向き合う粘着面を有している。タブ本体３１ａは剥離フィルム３から張り出した部分を有している。カバー３１ｂはタブ本体３１ａの張り出した部分に貼り付けられている。そして、カバー３１ｂの縁と剥離フィルム３の縁との距離（すなわち上述したクリアランス）は、カバーフィルム１０ｇの縁とサブフィルム１０ｆの縁との間のクリアランスｋよりも小さい。この構造によれば、カバー３１ｂの縁と剥離フィルム３の下縁との間の粘着面が、ベースフィルム１０Ｂのカバーフィルム１０ｇに引っ付くことを抑えることができる。このようにタブ３１Ｂの粘着面の意図しない接着を防ぐことを目的とする場合には、上述した位置決め部は必ずしも形成されなくてもよい。
【符号の説明】
【００９６】
１，１Ａ，１Ｂ  フィルム積層体、２  保護フィルム、３  剥離フィルム、１０，１０Ａ，１０Ｂ  ベースフィルム、１０ａ  上縁、１０ｈ  屈曲線部、１１  張り出し部、１１ａ，１１ｂ，１１ｃ，１１ｆ〜１１ｉ  位置決め部、１２ａ  左縁、３１，３１Ｂ  タブ、９０  電子機器、９１Ａ〜９１Ｄ  操作ボタン、９２  方向キー、９５  フロントパネル、９６  ハウジング、１００  フィルム積層体、１１０  ベースフィルム、１１１ａ  位置決め部、２００  フィルム積層体、２０２  保護フィルム、２０２ａ  穴、２０３  剥離フィルム、２１０  ベースフィルム、２１０ｈ  屈曲線部、２１１ａ  位置決め部。
【図１】
2013056525.tif 000003
【図２】
2013056525.tif 000004
【図３】
2013056525.tif 000005
【図４】
2013056525.tif 000006
【図５】
2013056525.tif 000007
【図６】
2013056525.tif 000008
【図７】
2013056525.tif 000009
【図８】
2013056525.tif 000010
【図９】
2013056525.tif 000011
【図１０】
2013056525.tif 000012
【図１１】
2013056525.tif 000013